(57)【特許請求の範囲】
【請求項１】
第１のハウジングと、前記第１のハウジング内の第１の端子とを有する第１のコネクタと、
第２のハウジングと、前記第２のハウジング内の第２の端子とを有する第２のコネクタと、を有し、
前記第１のコネクタと前記第２のコネクタとが嵌合したとき、前記第１の端子と前記第２の端子とが互いに接触して電気的に接続される電気コネクタであって、
前記第１のコネクタは、片持ちバネ状のロック片を備え、前記ロック片は、前記第１のハウジングに連結された連結部と、前記第１及び第２のコネクタの嵌合方向に対して垂直な方向に変位可能な自由端部と、前記連結部と前記自由端部との間に設けられ、嵌合側が斜面に、反対側が垂直面になっているロック突部とを有し、
前記連結部は、前記ロック片の嵌合側の先端部に設けられており、前記自由端部は、前記ロック片の嵌合側と反対側の先端部に設けられており、
前記第２のコネクタは、前記第２のハウジングの壁部にロック孔を有し、前記第１及び第２のコネクタの嵌合時に、前記ロック突部が前記ロック孔に嵌り込むように構成され、
さらに、前記第１のコネクタは、前記第１のハウジングの一部を包囲するように構成された筒状のホルダを有し、
前記ホルダは、ロック時に、前記ロック片の前記自由端部の変位を規制するための規制部を備え、前記規制部は、ロック時に、前記第１のハウジングの外壁と前記自由端部との間に配置され、ロック解除時には、前記第１のハウジングの外壁と前記自由端部との間に配置されないように移動可能であり、
前記ホルダは、前記第１のハウジングの外壁に沿って軸方向に移動可能であり、前記ホルダのスライド移動時に、前記ホルダの内壁に設けられた突起が、前記第１のハウジングに設けられた正規位置の凹部又はリリース位置の凹部に嵌り込み、前記正規位置の凹部と前記リリース位置の凹部との間で移動するように構成され、
前記ロック片は、前記第１のハウジングの外壁と前記自由端部との間に前記規制部が配置されているとき、前記ロック突部が設けられている中央付近に所定以上の力が加わったときに撓むようになっており、
前記第１及び第２のコネクタの嵌合開始時に、前記ホルダが前記正規位置にある状態で、前記ロック突部が前記第２のハウジングの内壁で押し下げられ、前記ロック突部が前記ロック孔に嵌り込むように構成されている、ことを特徴とする電気コネクタ。
【請求項２】
ハウジングと、前記ハウジング内の端子とを有し、
相手側コネクタと嵌合したとき、前記相手側コネクタの端子と自身の前記端子とが互いに接触して電気的に接続される電気コネクタであって、
前記電気コネクタは、片持ちバネ状のロック片を備え、前記ロック片は、前記ハウジングに連結された連結部と、前記電気コネクタの嵌合方向に対して垂直な方向に変位可能な自由端部と、前記連結部と前記自由端部との間に設けられ、嵌合側が斜面に、反対側が垂直面になっているロック突部とを有し、
前記連結部は、前記ロック片の嵌合側の先端部に設けられており、前記自由端部は、前記ロック片の嵌合側と反対側の先端部に設けられており、
前記ロック突部は、前記電気コネクタ及び前記相手側コネクタの嵌合時に、前記相手側コネクタに設けられたロック孔に嵌り込むように構成され、
さらに、前記電気コネクタは、前記ハウジングの一部を包囲するように構成された筒状のホルダを有し、
前記ホルダは、ロック時に、前記ロック片の前記自由端部の変位を規制するための規制部を備え、前記規制部は、ロック時に、前記ハウジングの外壁と前記自由端部との間に配置され、ロック解除時には、前記ハウジングの外壁と前記自由端部との間に配置されないように移動可能であり、
前記ホルダは、前記ハウジングの外壁に沿って軸方向に移動可能であり、前記ホルダのスライド移動時に、前記ホルダの内壁に設けられた突起が、前記ハウジングに設けられた正規位置の凹部又はリリース位置の凹部に嵌り込み、前記正規位置の凹部と前記リリース位置の凹部との間で移動するように構成され、
前記ロック片は、前記ハウジングの外壁と前記自由端部との間に前記規制部が配置されているとき、前記ロック突部が設けられている中央付近に所定以上の力が加わったときに撓むようになっており、
前記電気コネクタ及び前記相手側コネクタの嵌合開始時に、前記ホルダが前記正規位置にある状態で、前記ロック突部が前記相手側コネクタのハウジングの内壁で押し下げられ、前記ロック突部が前記ロック孔に嵌り込むように構成されている、ことを特徴とする電気コネクタ。
【発明の詳細な説明】
【技術分野】
【０００１】
本発明は、電気コネクタに関し、特に、コネクタ嵌合時に外れるのを防止するロック機構を備えた電気コネクタに関する。
【背景技術】
【０００２】
例えば、電源ラインなどの接続に使用される高安全性・高信頼性を要求される電気コネクタの場合、不注意や間違いにより、物が衝突したり、ケーブルに引っ張り応力が働いたりして、安易にコネクタの嵌合が外れると、問題が発生する。そのため、嵌合が不注意や間違いによって容易に外れないように、嵌合時に確実にロックされるロック機構が必要になってくる。
【０００３】
嵌合時に確実にロックされるロック機構として、例えば、コネクタ同士をねじ止めして固定することが考えられる。しかし、ねじ止めの場合は、確実にロックされて信頼性が高いものの、コネクタ設置の際、ドライバを使用してねじ止めしなければならず、また、ロックを解除するときは、またドライバを使用してねじを外さなければならない。したがって、大変手間がかかり、設置が困難で作業性が悪い。また、高電圧・高電流の電源ラインでコネクタを使用する場合、ねじ止めは感電の危険性がある。また、部品点数も多くなる。そこで、安全性・作業性が良く、確実にロックする電気コネクタが必要になってくる。
【０００４】
なお、このようなロック機構を有するコネクタに関する技術としては、例えば、特許文献１に記載される技術などが挙げられる。
【先行技術文献】
【特許文献】
【０００５】
【特許文献１】特許第３５２０９６５号明細書
【発明の概要】
【発明が解決しようとする課題】
【０００６】
本発明は、上記のような問題を解決するために、完成されたものであり、その目的は、不注意や間違いによって容易にコネクタの嵌合が外れることがなく、低コストで、作業性・安全性の高い電気コネクタを提供することにある。本発明の前記並びにその他の目的と新規な特徴は、本明細書の記述及び添付図面から明らかになるであろう。
【課題を解決するための手段】
【０００７】
本願において開示される発明のうち、代表的なものの概要を簡単に説明すれば、次のとおりである。すなわち、本発明に係る電気コネクタは、第１のハウジングと、前記第１のハウジング内の第１の端子とを有する第１のコネクタと、第２のハウジングと、前記第２のハウジング内の第２の端子とを有する第２のコネクタと、を有し、前記第１のコネクタと前記第２のコネクタとが嵌合したとき、前記第１の端子と前記第２の端子とが互いに接触して電気的に接続されるものである。
【０００８】
そして、前記第１のコネクタは、片持ちバネ状のロック片を備え、前記ロック片は、前記第１のハウジングに連結された連結部と、前記第１及び第２のコネクタの嵌合方向に対して垂直な方向に変位可能な自由端部と、前記連結部と前記自由端部との間に設けられたロック突部とを有し、前記第２のコネクタは、前記第２のハウジングの壁部にロック孔を有し、前記第１及び第２のコネクタの嵌合時に、前記ロック突部が前記ロック孔に嵌り込むように構成され、さらに、前記第１のコネクタは、前記第１のハウジングの一部を包囲するように構成された筒状のホルダを有し、前記ホルダは、ロック時に、前記ロック片の前記自由端部の変位を規制するための規制部を備え、前記規制部は、ロック時に、前記第１のハウジングの外壁と前記自由端部との間に配置され、ロック解除時には、前記第１のハウジングの外壁と前記自由端部との間に配置されないように移動可能である、ことを特徴とするものである。
【発明の効果】
【０００９】
本発明に係る電気コネクタは、二重ロック構造を有するため、ロックが確実にかかり、不注意によって嵌合が外れることはない。また、設置時の作業性が良く、安全性が高い。
【図面の簡単な説明】
【００１０】
【図１】本発明の実施の形態１による電気コネクタの全体構成を示す斜視図である。
【図２】本発明の実施の形態１において、プラグコネクタのハウジングとホルダを分離して示した斜視図である。
【図３】本発明の実施の形態１において、ホルダ単体の構成を示す図である。
【図４】本発明の実施の形態１において、電気コネクタの嵌合前の状態を示す断面図である。
【図５】本発明の実施の形態１において、電気コネクタの嵌合途中の状態を示す断面図である。
【図６】本発明の実施の形態１において、電気コネクタの嵌合途中の状態を示す断面図である。
【図７】本発明の実施の形態１において、電気コネクタの嵌合完了の状態（ロック状態）を示す断面図である。
【図８】本発明の実施の形態１において、電気コネクタの嵌合完了の状態（ロック状態）を示す断面図である。
【図９】本発明の実施の形態１において、電気コネクタの抜去開始の状態（ロック解除時）を示す断面図である。
【図１０】本発明の実施の形態１において、電気コネクタの抜去途中の状態（ロック解除時）を示す断面図である。
【図１１】本発明の実施の形態１において、電気コネクタの抜去完了の状態（ロック解除時）を示す断面図である。
【図１２】本発明の実施の形態２による電気コネクタのプラグコネクタの構成を示す斜視図である（正規位置）。
【図１３】本発明の実施の形態２による電気コネクタのプラグコネクタの構成を示す斜視図である（リリース位置）。
【発明を実施するための形態】
【００１１】
以下、本発明の実施の形態を図面に基づいて詳細に説明する。なお、実施の形態を説明するための全図において、同一部材には原則として同一の符号を付し、その繰り返しの説明は省略する。
【００１２】
以下の実施の形態においては便宜上その必要があるときは、複数のセクションまたは実施の形態に分割して説明するが、特に明示した場合を除き、それらは互いに無関係なものではなく、一方は他方の一部または全部の変形例、詳細、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００１３】
（実施の形態１）
まず、図１〜図３により、本実施の形態１による電気コネクタの構成を説明する。図１は、本発明の実施の形態１による電気コネクタの全体構成を示す斜視図である。図２は、プラグコネクタのハウジングとホルダを分離して示した斜視図である。図３は、ホルダ単体の構成を示す図である。本実施の形態１に係る電気コネクタは、例えば、電源ライン等の連結に使用される電気コネクタであって、図１に示すように、プラグコネクタ（第１のコネクタ）１００、レセプタクルコネクタ（第２のコネクタ）２００などから構成される。
【００１４】
プラグコネクタ１００は、筒状のハウジング１０２、ハウジング１０２の上部に設けられた片持ちバネ状のロック片１０４、ハウジングの一部を包囲するように構成された筒状のホルダ１０６、ハウジング１０２内に収容された電気接続用の金属製の端子（第１の端子、図４等参照）１０８、端子１０８に接続されたケーブル１１０などから構成される。
【００１５】
ハウジング１０２は、筒状であり、その内部に、端子１０８が固定されており、この端子１０８にはケーブル１１０が結線されている。また、ハウジング１０２の外側の壁面には、軸方向に沿って、キー溝１１８が設けられ、コネクタを嵌合するときに、レセプタクルコネクタ２００のキー突起２１４と嵌合し、位置決め又はガイドの役目を果たす。図２に示すように、ハウジング１０２のホルダ１０６が取り付けられる部分には、正規位置の凹部１２２及びリリース位置の凹部１２４が設けられ、ホルダ１０６の内壁に設けられた突起１２６が、ホルダ１０６のスライド移動時に正規位置の凹部１２２又はリリース位置の凹部１２４に嵌り込み、正規位置の凹部１２２とリリース位置の凹部１２４の間で移動するようになっている。また、ハウジング１０２のホルダ１０６が取り付けられる部分には、ホルダの抜け止め用の突起１２８が設けられており、ホルダ１０６を引き抜こうとしたときに、ホルダ１０６の長孔１３０の壁１３２に当たって止まるようになっている。さらに、ハウジング１０２のホルダ１０６が取り付けられる部分には、軸方向に沿ってガイド突起１４０が設けられており、ホルダ１０６の内壁に設けられたキー溝１４２と嵌合して、正規位置とリリース位置との間のホルダ１０６の移動をスムーズにするとともに、ホルダ１０６のハウジング１０２に対する回転を規制している。
【００１６】
ロック片１０４は、ハウジング１０２の嵌合側上部に連結された連結部１１２、連結部１１２と反対側先端の操作部（自由端部）１１４、連結部１１２と操作部１１４の間の中央付近の上部にハウジング１０２と反対方向側に向けて突出するように設けられた２つのロック突部１１６などから構成される。ロック突部１１６は嵌合側が斜面に、反対側が垂直面として形成されている。操作部１１４は、連結部１１２を支点としてコネクタの嵌合方向（軸方向）に対して垂直な方向（上下方向）に変位可能である。また、ロック片１０４は、操作部１１４が固定されているときに、ロック突部１１６が設けられている中央付近に所定以上の力が加わったときに撓むようになっている。
【００１７】
ホルダ１０６は、筒状であり、ハウジング１０２の外側に包囲するように取り付けられる。ホルダ１０６は、軸方向（嵌合方向）にスライド移動可能に取り付けられる。図１のホルダ１０６の位置は、正規位置の状態である。また、ホルダ１０６には、その上部に、ロック片１０４の両側に沿って２つのガイド壁１３８が設けられている。ガイド壁１３８は、ロック片１０４の操作部１１４を保護し、不意に物や手などが触れて操作部１１４が変位してしまうことを防止するとともに、操作部１１４とハウジング１０２の外壁との間にケーブルなどが入り込み操作部１１４を操作不能になってしまうことを防止している。また、ホルダ１０６には、ハウジング１０２の突起１２８が嵌るように長孔１３０が設けられている。長孔１３０の両側には、切込み（スリット）１３４が設けられているので、この部分は可撓性を有し、ホルダ１０６の脱着時に、突起１２８に当たった場合、若干撓むようになっている。さらに、両ガイド壁１３８の間には、ホルダ１０６を軸方向にスライド操作するためのホルダ操作部１４４が設けられており、特に正規位置からリリース位置への操作の際に適するようにケーブル側に向けて傾斜面として形成されている。
【００１８】
ホルダ１０６は、コネクタ嵌合のロック時に、ロック片１０４の操作部１１４の変位を規制するための規制部１３６を上部（本実施形態では、２つのガイド壁１３８の間。）に備え、規制部１３６は、ロック時に、ハウジング１０２の外壁と操作部１１４との間に配置され、ロック解除時に、ハウジング１０２の外壁と操作部１１４との間に配置されないように移動可能である。すなわち、ホルダ１０６がハウジング１０２の外壁に沿って軸方向に移動し、ロック時に、ロック片１０４の操作部１１４の下側に規制部１３６が入り込み、操作部１１４を上から押しても、操作部１１４は規制部１３６に衝突することによりその衝突箇所以上は下方に動かない。このとき、ホルダの突起１２６が、ハウジングの正規位置の凹部１２２に嵌り込んでいる状態である。そして、ロック解除時は、ホルダ１０６がハウジング１０２の外壁に沿って軸方向外側に移動し、規制部１３６が、ロック片１０４の操作部１１４の下側から抜け出て、操作部１１４を上から押したとき、操作部１１４はハウジング１０２の外壁箇所まで下方に移動可能である。このとき、ホルダの突起１２６が、ハウジングのリリース位置の凹部１２４に嵌り込んでいる状態である。
【００１９】
レセプタクルコネクタ２００は、筒状のハウジング（第２のハウジング）２０２、ハウジング２０２内に収容された電気接続用の金属製の端子（第２の端子）２０４、フランジ２０６、ハウジング２０２の上部壁部（ロック壁２２０）に設けられた２つのロック孔２０８などから構成される。ロック孔２０８は、コネクタ嵌合時に、プラグコネクタ１００のロック突部１１６が嵌り込んで、コネクタの離脱を防止するものである。ハウジング２０２は、その内側の嵌合方向（図１の右側）に嵌合部２１６（嵌合空間２１８）を有し、プラグコネクタ１００のハウジング１０２が挿入して嵌合するようになっている。また、嵌合部２１６のハウジング２０２の内壁には、ハウジング１０２のキー溝１１８と嵌合するキー突起２１４が設けられている。また、レセプタクルコネクタ２００は、コネクタ設置の際、フランジ２０６に設けられた孔（図示せず）を利用して、パネル２１０にねじ２１２で固定される。
【００２０】
プラグコネクタ１００及びレセプタクルコネクタ２００の嵌合時は、プラグコネクタ１００のハウジング１０２の一部が、レセプタクルコネクタ２００のハウジング２０２内に挿入され、ハウジング同士が嵌合することにより、プラグコネクタ１００の端子１０８と、レセプタクルコネクタ２００の端子２０４が接触し、電気的に接続される。また、ハウジング１０２、ハウジング２０２、ロック片１０４、ホルダ１０６は、例えば、プラスティック等の絶縁性樹脂の材料を一体成型して作製される。
【００２１】
次に、図４〜図１１により、コネクタの嵌合及び抜去の方法を説明する。図４は、電気コネクタの嵌合前の状態を示す断面図である。図４に示すように、電気コネクタの嵌合の際、最初に、レセプタクルコネクタ２００の嵌合部２１６側とプラグコネクタ１００の嵌合側（ケーブル１１０の反対側）とを近づける。このとき、ホルダ１０６は、正規位置にあり、ホルダ１０６の突起１２６が、ハウジング１０２の正規位置の凹部１２２に嵌っている状態である。また、規制部１３６は、ロック片１０４の操作部１１４の下に位置している。
【００２２】
次に、レセプタクルコネクタ２００の嵌合空間２１８（嵌合部２１６）に、プラグコネクタ１００を挿入する。図５及び図６は、電気コネクタの嵌合途中の状態を示す断面図である。図５に示すように、ロック片１０４のロック突部１１６が、レセプタクルコネクタ２００のロック壁２２０に衝突すると、ロック片１０４が下方（ハウジング１０２側）に変位し始める。
【００２３】
さらに、プラグコネクタ１００をレセプタクルコネクタ２００に挿入し続けると、ロック片１０４が下方に変位して、ロック片１０４の操作部１１４がホルダ１０６の規制部１３６に当接する。すると、図６に示すように、操作部１１４の下方への変位が、規制部１３６により規制され、ロック突部１１６がロック壁２２０により下方へ押されてロック片１０４の中央部分が下方に撓む。そして、ロック突部１１６が、ロック壁２２０の下側に入り込み、ロック孔２０８へ向かう。すなわち、図６に示す状態では、操作部１１４が規制部１３６に当接することによって、ロック片１０４が前記当接部分と連結部１１２とで両持ちバネ状になっている。
【００２４】
さらに、プラグコネクタ１００をレセプタクルコネクタ２００に挿入し続けると、図７に示すように、ロック突部１１６が、ロック孔２０８に嵌り込み、操作部１１４が上方に変位し、ロック片１０４が元の位置に戻る。図７及び図８は、電気コネクタの嵌合完了の状態（ロック状態）を示す断面図である。
【００２５】
電気コネクタの嵌合が完了すると、図８に示すように、操作部１１４を下方に押しても、規制部１３６により、その変位が規制され、ロック片１０４は、ほとんど変形しないので、ロック突部１１６がロック孔２０８に嵌り込んだ状態を維持する。そのため、電気コネクタの抜去、すなわち嵌合が外れることは、不可能になる。このとき、ホルダ１０６は、正規位置にある。
【００２６】
図９は、電気コネクタの抜去開始の状態（ロック解除時）を示す断面図である。電気コネクタの抜去の際には、図９に示すように、ホルダ１０６をケーブル１１０側（図９の右側）にスライド移動させて、リリース位置まで持ってくる。このとき、規制部１３６は、操作部１１４の下から逃れて、ハウジング１０２の外壁と操作部１１４との間に位置しなくなる。ホルダ１０６がリリース位置にあるとき、ホルダ１０６の突起１２６が、ハウジング１０２のリリース位置の凹部１２４に嵌っている状態である。
【００２７】
図１０は、電気コネクタの抜去途中の状態（ロック解除時）を示す断面図である。図１０に示すように、操作部１１４を下方に押しながらプラグコネクタ１００を右側に引くと、操作部１１４の下に規制部１３６がないため、操作部１１４はハウジング１０２の外壁に当接するまで下方に変位してロック片１０４が下方に変形し、ロック突部１１６がロック孔２０８から外れて、電気コネクタを抜去することができる。
【００２８】
図１１は、電気コネクタの抜去完了の状態（ロック解除時）を示す断面図である。図１１に示すように、電気コネクタの抜去が完了すると、レセプタクルコネクタ２００とプラグコネクタ１００が分離される。このとき、ホルダ１０６は、リリース位置にあり、ホルダ１０６の突起１２６が、ハウジング１０２のリリース位置の凹部１２４に嵌っている状態である。
【００２９】
したがって、本実施の形態１の電気コネクタによれば、ロック突部１１６とロック孔２０８との嵌合、規制部１３６によるロック片１０４の変形阻止の二重ロック構造となっているため、コネクタ嵌合時に確実にロックすることができ、不注意で物や手などが操作部に触れても、電気コネクタの嵌合が外れることはない。また、電気コネクタの抜去の際は、ホルダ１０６を右側にスライド移動してリリース位置に持ってくることにより、容易に電気コネクタの抜去が可能になる。
【００３０】
（実施の形態２）
図１２及び図１３は、本発明の実施の形態２による電気コネクタのプラグコネクタ（第１のコネクタ）の構成を示す斜視図である。図１２は、ホルダの規制部が正規位置にある状態、図１３は、ホルダの規制部がリリース位置にある状態を示す。本実施の形態２は、前記実施の形態１に対して、ホルダの構成を変更したものであり、他の構成は、前記実施の形態１とほぼ同じであるので、重複した説明は省略する。図１２及び図１３に示すように、本実施の形態２によるプラグコネクタ３００は、筒状のハウジング３０２、ハウジング３０２の上部に設けられた片持ちバネ状のロック片３０４、ハウジングの一部を包囲するように構成された筒状の回転式のホルダ３０６などから構成される。
【００３１】
ロック片３０４は、前記実施の形態１と同様に、連結部３１２、操作部（自由端部）３１４、連結部３１２と操作部３１４の間の中央付近の上部に設けられた２つのロック突部３１６などから構成される。
【００３２】
ホルダ３０６は、筒状であり、ハウジング３０２の一部を包囲するように取り付けられる。ホルダ３０６は、ハウジング３０２の外周に沿って嵌合方向を軸として回転可能である。ホルダ３０６は、ロック片３０４側に舌状の規制部３３６を備え、ホルダ３０６の回転と一緒に、規制部３３６もハウジング３０２の外周に沿って回転する。そして、図１２に示すように、ホルダ３０６が正規位置にあるとき、規制部３３６が操作部３１４の下に入り込み、規制部３３６によって操作部３１４の下方への変位が規制され、ロックされる。図１３に示すように、ホルダ３０６がリリース位置にあるとき、規制部３３６が操作部３１４の下から外れ、操作部３１４の下方への変位が可能になり、ロックが解除される。
【００３３】
したがって、プラグコネクタ３００のホルダ３０６を実施の形態２のように構成することにより、前記実施の形態１と同様の効果が得られる。
【００３４】
以上、本発明者によってなされた発明をその実施の形態に基づき具体的に説明したが、本発明は前記実施の形態に限定されるものではなく、その要旨を逸脱しない範囲で種々変更可能であることはいうまでもない。
例えば、筒状のホルダの表面にあわせるように、ロック片のうちホルダに当接する部分を曲面形状とすることもできる。また、ホルダを正規位置へと付勢する付勢手段（例えば、ハウジングとホルダとの間のバネ。）を設けて該付勢手段の付勢力に抗して操作する場合のみホルダをリリース位置へ変位可能となるように変更することもできる。
【産業上の利用可能性】
【００３５】
本発明に係る電気コネクタは、産業用、業務用、家庭用など広く利用することができる。
【符号の説明】
【００３６】
１００  プラグコネクタ（第１のコネクタ）
１０２  ハウジング（第１のハウジング）
１０４  ロック片
１０６  ホルダ
１０８  端子（第１の端子）
１１０  ケーブル
１１２  連結部
１１４  操作部（自由端部）
１１６  ロック突部
１１８  キー溝
１２０  ガイド壁
１２２  正規位置の凹部
１２４  リリース位置の凹部
１２６  突起
１２８  突起
１３０  長孔
１３２  長孔の壁
１３４  切込み
１３６  規制部
１３８  ガイド壁
１４０  ガイド突起
１４２  キー溝
１４４  ホルダ操作部
２００  レセプタクルコネクタ（第２のコネクタ）
２０２  ハウジング（第２のハウジング）
２０４  端子（第２の端子）
２０６  フランジ
２０８  ロック孔
２１０  パネル
２１２  ねじ
２１４  キー突起
２１６  嵌合部
２１８  嵌合空間
２２０  ロック壁
３００  プラグコネクタ（第１のコネクタ）
３０２  ハウジング（第１のハウジング）
３０４  ロック片
３０６  ホルダ
３１２  連結部
３１４  操作部（自由端部）
３１６  ロック突部
３１８  キー溝
３３６  規制部
【図１】
0006465334.tif 000002
【図２】
0006465334.tif 000003
【図３】
0006465334.tif 000004
【図４】
0006465334.tif 000005
【図５】
0006465334.tif 000006
【図６】
0006465334.tif 000007
【図７】
0006465334.tif 000008
【図８】
0006465334.tif 000009
【図９】
0006465334.tif 000010
【図１０】
0006465334.tif 000011
【図１１】
0006465334.tif 000012
【図１２】
0006465334.tif 000013
【図１３】
0006465334.tif 000014